(57)【要約】【課題】  臥位状態の被検者に対して乳房と腋窩部の検査を効率的に実行することが可能であり、検査時において被検者に不安や疲労を与えることがない核医学診断装置を提供する。【解決手段】  核医学診断装置においては、放射線検出部により形成される放射線の検出範囲が、被検者の乳房と腋窩部とを配置可能な大きさを有するように、放射線検出部のサイズが決定されている。そして、寝台１４における本体カバー１６の側面に、被検者の腕部を収納可能な空間に連通する開口部２１が形成されている。この開口部２１は、寝台１４の載置部１１上の被検者の側方となる本体カバー１６の側面の両側に形成されている。【選択図】        図１
2020085481.tif 000002
【特許請求の範囲】
【請求項１】
内部に検査空間が形成されたリング状の放射線検出部と、前記放射線検出部における検査空間と連通する挿入口が形成された被検者の載置部を上面に有する寝台と、を備え、前記被検者の腋窩部を検査可能な核医学診断装置であって、
前記放射線検出部は、当該放射線検出部により形成される放射線の検出範囲が前記被検者の乳房と腋窩部とを配置可能な大きさを有するとともに、
前記放射線検出部の下方に前記被検者の腕部を収納可能な空間が形成され、
前記寝台の側面に前記空間に連通する開口部が形成される核医学診断装置。
【請求項２】
請求項１に記載の核医学診断装置において、
前記開口部は、前記寝台上の被検者の側方となる前記寝台の側面の少なくとも一方に形成される核医学診断装置。
【請求項３】
請求項１または請求項２に記載の核医学診断装置において、
前記空間内に、前記被検者の腕部を支持するための支持部材が配設される核医学診断装置。
【発明の詳細な説明】
【技術分野】
【０００１】
この発明は、核医学診断装置に関する。
【背景技術】
【０００２】
例えば、被検者の乳房の検査を行う乳房検査用核医学診断装置においては、あらかじめ放射性薬剤を投与した被検者の乳房を、トンネル状の検査空間が形成されたリング状の放射線検出部に挿入し、被検者の乳房から放射される対消滅光子を放射線検出部により検出する。そして、その光子を検出した時刻を測定し、放射線検出部における２個の検出器での検出時刻差が一定時間以内の場合にそれを一対の対消滅光子として計数し、さらに、対消滅発生地点を検出した検出器対の直線上の位置であると特定する。このようにして得たエミッションデータを蓄積し、蓄積したエミッションデータを用いて画像再構成を行なうことによりＰＥＴ画像を取得する。そして取得したＰＥＴ画像をモニターに表示するとともに、病院内のサーバに転送する。
【０００３】
このような乳房検査用核医学診断装置においては、被検者の乳房に対して放射線検出部を位置決めする方法として、被検者を寝台または椅子等において一定の位置に固定した後、放射線検出部を被検者に対して近接させて位置決めする方法と、放射線検出部を固定しておき、その放射線検出部に対して被検者の乳房を挿入して位置決めする方法の二種類の方法がある。
【０００４】
特許文献１においては、被検者の乳房を挿入する挿入口が形成されたテーブルトップ上に被検者を載置し、被検者の乳房を、挿入口を介して垂れ下がった状態とすることにより、Ｘ線撮像機器に近接させて位置決めする医療処置を行うためのテーブルが開示されている。この特許文献１に記載されたテーブルにおいては、被検者の乳房の大きさに基づき、より大きな、または、より小さな直径の挿入口を有する代替的なインサートを選択して使用する構成となっている。
【０００５】
また、特許文献２においては、被検者の乳房と腋窩部を検査することができる乳房専用核医学診断装置が開示されている。この特許文献２に記載された核医学診断装置においては、座位状態の被検者Ｍの乳房を撮像する環状（リング状）の検出器ユニットと、この検出器ユニットに挿入された腕を支える腕置台とを備えている。この核医学診断装置における検出器ユニットは、乳房に近い方の腕が挿入可能な腕側にある肩部から乳房の付け根までおよぶ内径の孔を有している。
【先行技術文献】
【特許文献】
【０００６】
【特許文献１】特開２０１６−１８５３４９号公報
【特許文献２】特開２０１５−９４６９７号公報
【発明の概要】
【発明が解決しようとする課題】
【０００７】
特許文献２に記載されたように、被検者を座位状態で検査した場合には、検査には最大１０分程度の時間を要することから、被検者が同じ姿勢を維持するために苦痛を感じるという問題がある。このため、特許文献１に記載されたように、臥位状態となった被検者に対してその乳房と腋窩部を検査し得る構成とすることが好ましい。しかしながら、このような構成の核医学診断装置は実現されていない。
【０００８】
これに対して、特許文献１に記載されたように載置部上に臥位状態で載置した被検者に対して乳房と腋窩部の検査を実行することを可能とするために、被検者の乳房と腋窩部とを配置可能な大きさの検査空間を有する放射線検出部を採用するとともに、この放射線検出部の下方に、被検者の腕部を収納することが可能な空間を形成した構成を採用することが考えられる。このような構成を採用した場合においては、被検者は臥位状態で検査を受けることができ、被検者の負担が小さなものとなる。
【０００９】
一方、このような構成を採用した場合においては、被検者は放射線検出部における腕部の挿入口を介して内部空間に腕部を挿入する必要があるが、この内部空間は挿入口以外は閉じられた空間であることから、被検者が腕を挿入するときに不安を感じるという問題がある。また、この挿入口に物を落としたり、被検者の嘔吐物が落下したりした場合には、その対応を挿入口を介して行う必要があることから、それらに対する対応が困難となる。さらには、長時間の検査に備えて被検者の腕部を支持するための支持部材を設置しようとしても、被検者の腕部を収納する空間が閉じられたものである場合には、支持部材の設置自体が困難である。
【００１０】
この発明は上記課題を解決するためになされたものであり、臥位状態の被検者に対して乳房と腋窩部の検査を効率的に実行することが可能であり、検査時において被検者に不安や疲労を与えることがない核医学診断装置を提供することを目的とする。
【課題を解決するための手段】
【００１１】
請求項１に記載の発明は、内部に検査空間が形成されたリング状の放射線検出部と、前記放射線検出部における検査空間と連通する挿入口が形成された被検者の載置部を上面に有する寝台と、を備え、前記被検者の腋窩部を検査可能な核医学診断装置であって、前記放射線検出部は、当該放射線検出部により形成される放射線の検出範囲が前記被検者の乳房と腋窩部とを配置可能な大きさを有するとともに、前記放射線検出部の下方に前記被検者の腕部を収納可能な空間が形成され、前記寝台の側面に前記空間に連通する開口部が形成される。
【００１２】
請求項２に記載の発明は、請求項１に記載の発明において、前記開口部は、前記寝台上の被検者の側方となる前記寝台の側面の少なくとも一方に形成される。
【００１３】
請求項３に記載の発明は、請求項１または請求項２に記載の発明において、前記空間内に、前記被検者の腕部を支持するための支持部材が配設される。
【発明の効果】
【００１４】
請求項１および請求項２に記載の発明によれば、検査空間が被検者の乳房と腋窩部とを配置可能な大きさを有する放射線検出部と、被検者の腕部を収納可能な空間とにより、臥位状態の被検者に対して乳房と腋窩部の検査を実行することが可能となる。そして、空間に連通する開口部の作用により、被検者が挿入口に腕を挿入するときに不安を感じることはなく、また、挿入口からの落下物を、開口部を利用して容易に除去することが可能となる。
【００１５】
請求項３に記載の発明によれば、被検者の腕部を支持するための支持部材を、開口部を介して被検者の腕部を収納する空間内に設置することが可能となる。このため、被検者は、検査が長時間におよんだ場合においても、疲労を感じることなく同一姿勢を維持することが可能となる。
【図面の簡単な説明】
【００１６】
【図１】この発明の実施形態に係る核医学診断装置の斜視図である。
【図２】この核医学診断装置により被検者Ｍの検査を実行する様子を示す側面概要図である。
【図３】寝台１４における本体カバー１６の側面に形成された開口部２１等を示す断面図である。
【発明を実施するための形態】
【００１７】
以下、この発明の実施の形態を図面に基づいて説明する。図１は、この発明の実施形態に係る核医学診断装置の斜視図である。また、図２は、この核医学診断装置により被検者Ｍの検査を実行する様子を示す側面概要図である。さらに、図３は、寝台１４における本体カバー１６の側面に形成された開口部２１等を示す断面図である。
【００１８】
この実施形態に係る核医学診断装置は、特に、被検者の乳房とともに、被検者の腋窩部を検査可能なものである。この核医学診断装置は、例えば、マンモ用ＰＥＴ（Ｐｏｓｉｔｒｏｎ  Ｅｍｉｓｓｉｏｎ  Ｔｏｍｏｇｒａｐｈｙ）装置とも呼称されるものであり、その上部に被検者Ｍを載置するための載置部１１を配置した寝台１４を備える。載置部１１には、被検者Ｍの頭部が配置される凹部１３と、被検者Ｍの乳房および腋窩部を挿入するための挿入口１２とが形成されている。また、寝台１４における載置部１１の下方で本体カバー１６の内部には、被検者Ｍの腕部を収納可能な大きさを有する空間２０が形成されている。被検者Ｍが載置部１１上において腹臥位となった状態において、載置部１１の挿入口１２から空間２０に向けて挿入された被検者Ｍの乳房および腋窩部の周囲には、環状に配置された放射線検出部１５が配設される。
【００１９】
この発明の実施形態に係る核医学診断装置は、被検者Ｍの乳房および腋窩部を検査するためのものである。この核医学診断装置においては、あらかじめ放射性薬剤を投与した被検者Ｍの乳房および腋窩部を、挿入口１２からトンネル状の検査空間が形成されたリング状の放射線検出部１５に挿入し、被検者Ｍから放射される５１１ｋｅＶの対消滅光子を放射線検出部１５により検出する。そして、その光子を検出した時刻を測定し、放射線検出部１５における２個の検出器での検出時刻差が一定時間以内の場合にそれを一対の対消滅光子として計数し、さらに、対消滅発生地点を検出した検出器対の直線上の位置であると特定する。このようにして得たエミッションデータをコンソール６に蓄積し、コンソール６において蓄積したエミッションデータを用いて画像再構成を行なうことによりＰＥＴ画像を取得する。そして取得したＰＥＴ画像を表示部７に表示するとともに、病院内ネットワーク８を介して病院内のサーバに転送する。
【００２０】
このとき、被検者Ｍの乳房および腋窩部は、放射線検出部１５における放射線の検出範囲１９内に配置される必要がある。これを可能とするため、放射線検出部１５により形成される放射線の検出範囲１９が、被検者Ｍの乳房と腋窩部とを配置可能な大きさを有するように、放射線検出部１５のサイズが決定されている。
【００２１】
被検者Ｍの乳房および腋窩部を検査するときには、図２に示すように、寝台１４における載置部１１の下方で本体カバー１６の内部に形成された空間２０に、被検者Ｍの腕部が収納される。このとき、核医学診断装置による検査は、１０分程度の時間を要する場合がある。このため、空間２０内には、被検者Ｍの腕部を支持するための支持部材２２が配設される。
【００２２】
この支持部材２２は、スポンジ等の柔軟な材料を合成皮革等により包囲した構成を有する。この支持部材２２の大きさや形状は、被検者Ｍの体格や、検査時の被検者Ｍの姿勢等に応じて変更される。なお、必要に応じ、複数の支持部材２２を使用して被検者Ｍの腕部を支持するようにしてもよい。
【００２３】
この発明の実施形態に係る核医学診断装置においては、寝台１４における本体カバー１６の側面に、被検者Ｍの腕部を収納可能な空間２０に連通する開口部２１が形成されている。この開口部２１は、図３に示すように、寝台１４の載置部１１上の被検者Ｍの側方となる本体カバー１６の側面の両側に形成されている。
【００２４】
被検者Ｍの乳房および腋窩部を検査するときには、被検者Ｍは、図２に示すように、載置部１１に形成された挿入口１２から本体カバー１６の内部に形成された空間２０に腕を挿入する必要がある。この時、空間２０が閉鎖されたものであれば、被検者Ｍが挿入口１２を介して空間２０に腕部を挿入するときに、空間２０の形状等を認識できないことから、不安を感じる。しかしながら、この発明の実施形態に係る核医学診断装置においては、被検者Ｍの腕部を収納する空間２０に連通する開口部２１が形成されていることから、被検者Ｍは空間２０がどのようなものであるか認識することができ、被検者Ｍがこのような不安を感じることはない。
【００２５】
また、検査中において、挿入口１２から空間２０内に、検査に使用する物品が落下し、あるいは、被検者Ｍの嘔吐物が落下することがある。このような場合においても、空間２０に連通する開口部２１を利用することにより、落下物を容易に除去することが可能となる。
【００２６】
さらに、核医学診断装置による検査中には、被検者Ｍの疲労を軽減し、被検者Ｍの検査部位が移動することを防止するため、空間２０内に被検者Ｍの腕部を支持するための支持部材２２が配設される。この支持部材２２の大きさや形状は、被検者Ｍの体格等に応じて変更する必要がある。このような場合においても、空間２０に連通する開口部２１を利用することにより、被検者Ｍに対応した支持部材２２を空間２０内に設置し、あるいは、被検者Ｍの体格等に対応して、支持部材２２の形状、大きさ、数量等を変更することが可能となる。
【００２７】
なお、上述した実施形態においては、寝台１４における載置部１１上の被検者Ｍの側方となる本体カバー１６の両側に空間２０に連通する開口部２１を形成しているが、この開口部２１は、本体カバー１６の側面の少なくとも一方に形成されていればよい。また、空間２０に連通する開口部２１を、載置部１１上の被検者Ｍの頭側の位置にも形成してもよい。
【００２８】
また、上述した実施形態においては、被検者Ｍの乳房および腋窩部を検査するための核医学診断装置にこの発明を適用しているが、被検者Ｍの乳房および腋窩部の他に、例えば、被検者Ｍの頭部等、被検者Ｍのその他の部位をも検査可能な核医学診断装置にこの発明を適用してもよい。
【符号の説明】
【００２９】
６      コンソール
７      表示部
８      病院内ネットワーク
１１    載置部
１２    挿入口
１３    凹部
１４    寝台
１５    放射線検出部
１６    本体カバー
１９    放射線の検出範囲
２０    空間
２１    開口部
２２    支持部材
Ｍ      被検者
【図１】
2020085481.tif 000003
【図２】
2020085481.tif 000004
【図３】
2020085481.tif 000005